(57)【要約】      （修正有）【課題】トピアリーの枠型を設置する際に植物への損傷を抑えることができる枠型を提供する。【解決手段】植物を立体的に形作るための枠型１は、複数本の線材から形成される枠型部２と枠型部３とを備え、これら２つの枠型部２、３は互いに接合する接合部４を有している。接合部４を接合部材にて接合して、所望の形状を形成する。【選択図】図２
0003164892.tif 000002
【実用新案登録請求の範囲】
【請求項１】
複数本の線材から形成される複数の枠型部を備え、前記複数の枠型部はそれぞれ他の枠型部と接合する接合部を有し、前記複数の枠型部を前記接合部にて接合し、所望の形状を形成することを特徴とする植物を立体的に形作るための枠型。
【請求項２】
前記枠型を設置したときに、前記接合部が前記枠型部の上部に位置することを特徴とする請求項１記載の植物を立体的に形作るための枠型。
【請求項３】
前記枠型の設置位置に対して垂直方向に前記複数の枠型部が左右対称である２つの枠型部であることを特徴とする請求項１又は請求項２記載の植物を立体的に形作るための枠型。
【考案の詳細な説明】
【技術分野】
【０００１】
本考案は植物を立体的に形作るための枠型に関し、特にトピアリーに用いる枠型に関する。
【背景技術】
【０００２】
植物を刈り込んだり、誘引したりして、植物を立体的に形作る造形物をトピアリーと称する。トピアリーには、ペンギンやクマ等の動物やキャラクターその他様々な形状がある。トピアリーを製作する際、所望の形状の枠型を針金等の線状材料を用いて作成する。そして、この枠型に蔓性植物を這わせたり、水苔を詰めて植物を這わせたり、花のポットをはめ込んだりして、トピアリーを製作する。トピアリーの種類や作成方法など多数実現されている。
【０００３】
トピアリーの一つとして、植木に所望の形状に作成した枠型を嵌めて、植物の自然の力を借りて、時間をかけて完成させるものもある。しかし、用いられる枠型は、１つの完成した形として、植木に埋め込まれるため、枠型に木の枝があたり、木の皮がむけると、そこから葉っぱが二度と生えてこないことが分かった。
【先行技術文献】
【特許文献】
【０００４】
【特許文献１】実用新案登録第３０７４３１６号公報
【考案の概要】
【考案が解決しようとする課題】
【０００５】
トピアリーの枠型を設置する際に植物への損傷を抑えることができる枠型を提供することを課題とする。
【課題を解決するための手段】
【０００６】
本考案の植物を立体的に形作るための枠型は、上記課題を解決するために、複数本の線材から形成される複数の枠型部を備え、これら複数の枠型部はそれぞれ他の枠型部と接合する接合部を有する。そして、複数の枠型部を接合部にて接合して所望の形状を形成する。
【０００７】
ここで、枠型を設置したときに、接合部が枠型部の上部に位置することが好ましい。接合部を枠型部の上部に位置させると、接合の作業を行い易く、接合の作業時に植物を傷める可能性が低くなるためである。
【０００８】
また、複数の枠型部を左右対称である２つの枠型部で形成してもよい。また、枠型を所望の個数の枠型部を用いて作成することができる。
【考案の効果】
【０００９】
本考案の植物を立体的に形作るための枠型は、枠型が複数に分割されているので、枠型を設置する際、植物への接触を低減しながら設置することができる。これにより、フレーム設置時の植物の損傷を抑えることが可能となる。
【図面の簡単な説明】
【００１０】
【図１】本考案の実施例に係るトピアリーの枠型を示す側面図である。
【図２】本考案の実施例に係るトピアリーの枠型を示す上面図である。
【図３】（ａ）は本考案の実施例に係るトピアリーの枠型部の接合状態を示す上面図であり、（ｂ）は接合部材を示す側面図である。
【図４】本考案の実施例に係るトピアリーの枠型部の変形例を示す上面図である。
【考案を実施するための形態】
【００１１】
図１は本考案の実施例に係るトピアリーの枠型の側面図であり、植木鉢に設置した状態を示す。図２は図１の実施例のトピアリーの枠型の上面図である。
【００１２】
図１及び図２に示すように、本実施例の枠型１は複数の線材を用いて、頭から尾にかけて左右対称に鳥の形状に形成されている。枠型１は、枠型部２と枠型部３とから形成され、上部に枠型部２と枠型部３とを連結する接合部４を有している。接合部４は枠型部２の線材５と枠型部３の線材６で形成される。線材は鉄、鋼、針金など作成するトピアリーに適した材料を適宜選択することができる。
【００１３】
枠型１を植木１０に設置する場合、枠型部２と枠型部３を別々に植木鉢１０に足部９を埋めて設置して、その後、図３（ａ）に示すように、接合部４を接合部材７、８により接合する。図３（ｂ）は接合部材７の側面図である。接合部材７は鋼製の連結材であり、枠型部２、３の線材５、６を互いに連結固定する。接合部材７は横長の孔７ａを有し、上下から線材５、６を挟み込み、ボルト７ｂで固定する。接合部材の孔７ａは植物の成長に合わせて調節可能な幅を有する横長の形状である。図３（ａ）の結合部材８は針金であり、線材５、６に巻き付けて固定する。
【００１４】
枠型１を設置する場合、植木鉢１０に植木が植わっている状態で行うが、枠型１が枠型部２と枠型部３の２つに分割しているので、植木の横から植木に枠型部２、３が当たらないように設置できる。また、接合部４が枠型１の上部に位置しているので、接合の作業を行い易く、接合の作業時に植物を傷める可能性が低くなる。
【００１５】
ここで、接合部材として、枠型部２と枠型部３とを連結して固定できるものであればよいので、プラスチックなど他の材質の接合部材を用いることができる。
【００１６】
枠型部２の線材５と枠型部３の線材６を接合する箇所は、何箇所でもよく、枠型部２と枠型３が安定して固定できる箇所で接合すればよい。例えば、それぞれの枠型部が植木鉢への設置が安定し、設置された状態を保てる場合、接合箇所を減らして枠型部の端部のみを接合し、中心部の接合を省略することができる。
【００１７】
枠型部２と枠型部３を作成する際、枠型１を一体的に成形し、枠型１の頭から尾にかけて中心で切断して作成してもよく、枠型部２と枠型部３を別々に成形してもよい。
【００１８】
以上本考案の実施例を説明したが、本考案は上記実施例に限定することなく様々に変形可能である。例えば、枠型部を左右対称に作成したが、左右対称である必要はなく、枠型部を設置しやすい形状にて作成することができる。また、枠型を２つの枠型部から形成したが、２以上の枠型部を作成して、接合させて枠型を形成してもよく、植木の大きさや設置場所等に合わせて、適宜枠型部の数を変更することができる。
【００１９】
枠型部の数の変形例を図４に示す。図４はクマや象などの四足動物を作成する場合の枠型１１の上面図である。四足動物を作成する場合、植木鉢を四鉢用いて枠型の足に相当する部分に植木鉢を設置する。図４に示すように、四足動物の場合、枠型１１を頭から尻にかけて垂直方向に３分割して、３つの枠型部１２、１３、１４を用いることが適している。
【００２０】
さらに、上記の実施例では、枠型を垂直方向に分割していたが、枠型を水平方向に分割して形成することができる。例えば、クジラなどの魚の尾を作る場合、尾の部分は水平方向に２つに分割して、２つの枠型を用いることができる。
【００２１】
更にまた、接合部を枠型の上部に設けたが、上部に限定することなく、枠型の側面に設けてもよく、接合作業を行いやすい位置に設けることができる
【００２２】
また、接合部は接合部材を用いずに溶接してもよい。
【００２３】
また、上記の実施例では植木に用いる場合について説明したが、他の種類の植物や生花、ドライフラワー、造化等に用いることができる。例えば、オアシスを枠型内に設置して、生花を挿してトピアリーを作成することができる。オアシスの変わりにミズゴケを用いてもよい。
【産業上の利用可能性】
【００２４】
本考案の植物を立体的に形作るための枠型は、蔓性植物、立木、苔類等、全ての植物やドライフラワーや造花などに適用することが可能である。
【符号の説明】
【００２５】
１、１１  枠型
２、３、１２、１３、１４  枠型部
４  接合部
５、６  線材  
７、８  接合部材
【図１】
0003164892.tif 000003
【図２】
0003164892.tif 000004
【図３】
0003164892.tif 000005
【図４】
0003164892.tif 000006